(57)【要約】【課題】像保持体上のトナー像の一部を記録媒体の搬送方向の先頭側の縁を含む領域に転写する際に、記録媒体の搬送方向の先端面にトナー汚れが発生することを抑制する。【解決手段】転写装置２００は、転写ベルト５２に押圧されてニップ部５８Ａを形成し、転写ベルト５２上のトナー像を用紙Ｐに転写する転写ロール５８と、用紙Ｐを搬送する搬送手段としての案内部材２０２と、を備えている。案内部材５８は、転写ベルト５２上のトナー像の一部を用紙Ｐの搬送方向の先頭側の縁を含む領域に転写する際に、用紙Ｐの先頭側の端部Ｐ１を転写ロール５８側に接触させた後にニップ部５８Ａに突入させるように用紙Ｐを搬送する構成とされている。【選択図】図２
2017040751.tif 000002
【特許請求の範囲】
【請求項１】
像保持体との間でニップ部を形成し、前記像保持体上のトナー像を記録媒体に転写する転写ロールと、
前記記録媒体を搬送する搬送手段であって、前記像保持体上のトナー像の一部を前記記録媒体の搬送方向の先頭側の縁を含む領域に転写する際に、前記記録媒体の先頭側の端部を前記転写ロール側に接触させた後に前記ニップ部に突入させるように前記記録媒体を搬送する前記搬送手段と、
を有する転写装置。
【請求項２】
前記搬送手段は、前記転写ロールの前記ニップ部に対して、前記転写ロールの回転方向上流側の９０度までの範囲に前記記録媒体の先頭側の端部を接触させる請求項１に記載の転写装置。
【請求項３】
前記転写ロールの前記像保持体に対する周速比を０．９７より大きく、１．００より小さい範囲とする請求項１又は請求項２に記載の転写装置。
【請求項４】
前記像保持体上のトナー像の一部を前記記録媒体の搬送方向の先頭側の縁を含む領域に転写する際は、前記搬送手段により、前記記録媒体の先頭側の端部を前記転写ロール側に接触させた後に前記ニップ部に突入させ、
前記像保持体上のトナー像を前記記録媒体の搬送方向の先頭側の縁を含まない領域に転写する際は、前記記録媒体の先頭側の端部を前記像保持体側に接触させる方向へ前記搬送手段による搬送方向を切り替える切替機構を有する請求項１から請求項３までのいずれか１項に記載の転写装置。
【請求項５】
トナー像を保持する像保持体と、
請求項１から請求項４までのいずれか１項に記載の転写装置と、
を有する画像形成装置。
【発明の詳細な説明】
【技術分野】
【０００１】
本発明は、転写装置及び画像形成装置に関する。
【背景技術】
【０００２】
下記特許文献１には、用紙の端部まで画像を出力する、いわゆる縁なし印刷を行う画像形成装置において、トナー像の転写後、トナー像の定着前に、用紙をガイドする下ガイド板と対向する位置に清掃部材を設けた構成が開示されている。この構成では、下ガイド板にガイドされた用紙の端面に付着したトナー汚れを清掃部材で清掃している。
【０００３】
また、下記特許文献２には、余白なし印刷（縁なし印刷）の際に、転写材（記録媒体）の先端が中間転写ベルトに接触したときは、転写材の搬送速度を中間転写ベルトの移動速度より所定の速度だけ小さくし、その後、転写材の速度を上げ、中間転写ベルトの移動速度と等しくする構成が開示されている。この構成では、転写材の先端と中間転写ベルトとの擦れの発生を抑制し、画像乱れを抑制している。
【先行技術文献】
【特許文献】
【０００４】
【特許文献１】特開２００７−３２０６６７号公報
【特許文献２】特開２００９−２８２３６７号公報
【発明の概要】
【発明が解決しようとする課題】
【０００５】
像保持体上のトナー像の一部を記録媒体の搬送方向の先頭側の縁を含む領域に転写する際には、記録媒体の搬送方向の先端面（先端側面）にトナー汚れが発生する可能性がある。
【０００６】
本発明は、像保持体上のトナー像の一部を記録媒体の搬送方向の先頭側の縁を含む領域に転写する際に、記録媒体の先頭側の端部を像保持体側に接触させる構成と比べて、記録媒体の搬送方向の先端面にトナー汚れが発生することを抑制する転写装置及び画像形成装置を得ることが目的である。
【課題を解決するための手段】
【０００７】
請求項１に記載の発明に係る転写装置は、像保持体との間でニップ部を形成し、前記像保持体上のトナー像を記録媒体に転写する転写ロールと、前記記録媒体を搬送する搬送手段であって、前記像保持体上のトナー像の一部を前記記録媒体の搬送方向の先頭側の縁を含む領域に転写する際に、前記記録媒体の先頭側の端部を前記転写ロール側に接触させた後に前記ニップ部に突入させるように前記記録媒体を搬送する前記搬送手段と、を有する。
【０００８】
請求項２に記載の発明は、請求項１に記載の転写装置において、前記搬送手段は、前記転写ロールの前記ニップ部に対して、前記転写ロールの回転方向上流側の９０度までの範囲に前記記録媒体の先頭側の端部を接触させる。
【０００９】
請求項３に記載の発明は、請求項１又は請求項２に記載の転写装置において、前記転写ロールの前記像保持体に対する周速比を０．９７より大きく、１．００より小さい範囲とする。
【００１０】
請求項４に記載の発明は、請求項１から請求項３までのいずれか１項に記載の転写装置において、前記像保持体上のトナー像の一部を前記記録媒体の搬送方向の先頭側の縁を含む領域に転写する際は、前記搬送手段により、前記記録媒体の先頭側の端部を前記転写ロール側に接触させた後に前記ニップ部に突入させ、前記像保持体上のトナー像を前記記録媒体の搬送方向の先頭側の縁を含まない領域に転写する際は、前記記録媒体の先頭側の端部を前記像保持体側に接触させる方向へ前記搬送手段による搬送方向を切り替える切替機構を有する。
【００１１】
請求項５に記載の発明に係る画像形成装置は、トナー像を保持する像保持体と、請求項１から請求項４までのいずれか１項に記載の転写装置と、を有する。
【発明の効果】
【００１２】
請求項１に記載の発明によれば、像保持体上のトナー像の一部を記録媒体の搬送方向の先頭側の縁を含む領域に転写する際に、記録媒体の先頭側の端部を像保持体側に接触させる構成と比較して、記録媒体の搬送方向の先端面にトナー汚れが発生することが抑制される転写装置が提供される。
【００１３】
請求項２に記載の発明によれば、転写ロールのニップ部に対して、転写ロールの回転方向上流側の９０度を超える位置に記録媒体を接触させる構成と比較して、記録媒体がニップ部を外れた位置に供給されることが抑制される。
【００１４】
請求項３に記載の発明によれば、転写ロールの像保持体に対する周速比が０．９７以下の場合と比較して、記録媒体の搬送方向の先端面に付着するトナー汚れが抑制される。また、請求項３に記載の発明によれば、転写ロールの像保持体に対する周速比が１．００以上の場合と比較して、記録媒体に転写されるトナー像の像ずれの発生が抑制される。
【００１５】
請求項４に記載の発明によれば、切替機構を有しない構成と比較して、像保持体上のトナー像を記録媒体の搬送方向の先頭側の縁を含まない領域に転写する際に、記録媒体への画像ずれの発生が抑制される。
【００１６】
請求項５に記載の発明によれば、記録媒体を像保持体側に接触させる構成と比較して、記録媒体の搬送方向の先端面にトナー汚れが発生することが抑制される画像形成装置が提供される。
【図面の簡単な説明】
【００１７】
【図１】本発明の第１実施形態に係る転写装置が適用される画像形成装置を示す構成図である。
【図２】図１に示す画像形成装置に適用される転写装置を示す正面図である。
【図３】図２に示す転写装置において、記録媒体を転写ロール側に接触させる範囲を示す正面図である。
【図４】図２に示す転写装置において、転写ロールの転写ベルトに対する周速比を小さくした場合の記録媒体の状態を示す正面図である。
【図５】本発明の第２実施形態に係る転写装置を示す正面図である。
【図６】本発明の第３実施形態に係る転写装置を示す正面図である。
【図７】本発明の第４実施形態に係る転写装置を示す正面図である。
【図８】本発明の第５実施形態に係る転写装置を示す正面図である。
【図９】本発明の実施例に係る転写装置を示す正面図である。
【図１０】図９に示す転写装置において、用紙の搬送方向の先端面のトナー汚れと、用紙の搬送方向の先端部を転写ロール側に移動させた距離との関係を示すグラフである。
【図１１】用紙の搬送方向の先端面のトナー汚れの状態を段階的にＧ１からＧ５で示した図である。
【図１２】比較例の転写装置を用いて転写ベルト上のトナー像を用紙に転写する際に、用紙の搬送方向の先端面が転写ベルトのトナー像を掻き取る状態を模式的に説明する図である。
【図１３】用紙の搬送方向の先端面のトナー汚れと転写ロールの転写ベルトに対する周速比との関係を示すグラフ、及び用紙に転写されたトナー像の画像縮と転写ロールの転写ベルトに対する周速比との関係を示すグラフである。
【発明を実施するための形態】
【００１８】
以下に、本発明の実施の形態を図面に基づいて説明する。
【００１９】
図１は、本発明の第１実施形態に係る転写装置が適用される画像形成装置１０の構成の一例を示す図である。図１に示されるように、画像形成装置１０は、原稿の画像を読み取り画像データとして出力する画像読取部１００と、画像データに基づいて記録媒体に画像を形成する画像形成部１９０と、を備えている。画像読取部１００は、原稿搬送部１１２と原稿読取部１１４とを備えており、原稿搬送部１１２が連結部１１６を中心にして原稿読取部１１４の上方へ開閉可能とされている。
【００２０】
画像形成部１９０は、記録媒体としての用紙Ｐを収容する用紙収容部１２、トナー像形成部１４、搬送部１６、定着装置１８、排出部２０、補給機構２２および制御部２４を含んで構成されている。
【００２１】
トナー像形成部１４は、画像形成ユニット４０Ｙ、４０Ｍ、４０Ｃ、４０Ｋと、転写ユニット５０と、を備えている。各々の画像形成ユニット４０Ｙ、４０Ｍ、４０Ｃ、４０Ｋは、像保持体４２と、帯電装置４４と、露光装置３０と、現像装置４６と、除去装置４８と、を備えている。各画像形成ユニット４０Ｙ、４０Ｍ、４０Ｃ、４０Ｋでは、各像保持体４２の外周面にそれぞれイエロー（Ｙ）、マゼンタ（Ｍ）、シアン（Ｃ）、ブラック（Ｋ）の各色のトナー像を形成する。
【００２２】
帯電装置４４は、像保持体４２の外周面を帯電させる機能を有する。露光装置３０は、帯電装置４４により帯電された像保持体４２の外周面に露光光を照射することにより、潜像を形成する機能を有する。また、現像装置４６は、像保持体４２に形成された潜像をトナー像として現像する機能を有する。現像装置４６は、像保持体４２の外周面へトナーを供給するトナー供給体８０と、トナー供給体８０へトナー及びキャリアを含む現像剤を搬送する２つの搬送部材８２、搬送部材８４と、を備えている。さらに、除去装置４８は、像保持体４２の外周面に形成されたトナー像が像保持体の一例としての転写ベルト５２に一次転写された後、一次転写されずに像保持体４２の外周面に残ったトナー、外添剤等を、像保持体４２の外周面から除去する機能を有する。
【００２３】
転写ユニット５０は、各現像装置４６により各像保持体４２の外周面に現像された各色のトナー像が一次転写された後、当該トナー像を用紙Ｐに二次転写させる機能を有する。転写ユニット５０は、転写ベルト５２と、各色の一次転写ロール５４と、駆動ロール５６と、転写装置２００の一部を構成する転写ロール（二次転写ロール）５８と、を備えている。なお、転写装置２００については、後に説明する。
【００２４】
転写ベルト５２は、無端状のベルトとされている。一次転写ロール５４および駆動ロール５６は、転写ベルト５２の内周面に接触するように配置されている。転写ベルト５２は、その内周面に接触する４つの一次転写ロール５４、支持ロール５５、駆動ロール５６、張力付与ロール５９によって姿勢が決められている。転写ユニット５０における、装置高さ方向下側に向く転写ベルト５２の外周面には、画像形成ユニット４０Ｙ、４０Ｍ、４０Ｃ、４０Ｋを構成する各像保持体４２の外周面が接触している。なお、転写ベルト５２は、押圧手段（図示省略）により押圧される張力付与ロール５９により、張力を付与されている。
【００２５】
駆動ロール５６は、長尺状のロールとされており、駆動ロール５６の外周面の一部には、転写ベルト５２の内周面が巻き掛けられている。そして、駆動ロール５６が駆動源（図示省略）により回転する（矢印Ｒ２方向に回転する）と、駆動ロール５６は、転写ベルト５２における駆動ロール５６の外周面に巻き掛けられた部位に摩擦力を付与する。そして、駆動ロール５６は、転写ベルト５２を矢印Ｒ３方向に回転させる。駆動ロール５６は、転写ベルト５２を回転させる機能と、転写ベルト５２の外周面に一次転写されたトナー像を、用紙Ｐに二次転写させる転写ロール５８のバックアップロールとしての機能と、を有する。
【００２６】
一次転写ロール５４は、一次転写電圧が印加されることにより、各像保持体４２の外周面に形成されたトナー像を、転写ベルト５２の外周面に一次転写させる。
【００２７】
転写ロール（二次転写ロール）５８は、長尺状のロールとされている。転写ロール５８は、画像形成動作時に押圧手段（図示省略）によって転写ベルト５２を介して駆動ロール５６側に押圧されている。すなわち、転写ロール５８は転写ベルト５２に押圧されてニップ部５８Ａ（図２参照）を形成しており、このニップ部５８Ａが形成された位置が二次転写位置Ｔ１とされている。転写ロール５８は、転写ベルト５２とのニップ部５８Ａで互いに同方向に移動する構成とされており、矢印Ｒ４方向に回転する（図２参照）。本実施形態では、転写ロール５８は、駆動源(図示省略）により駆動ロール５６とは独立して回転する構成とされている。転写ロール５８は、二次転写電圧が印加されることにより、転写ベルト５２の外周面に一次転写されたトナー像を、搬送路１６Ｃに沿って搬送されて、二次転写位置Ｔ１を通過する用紙Ｐに二次転写させる。なお、二次転写電圧とは、二次転写の際に転写ロール５８に印加される電圧であり、制御部２４により定められる。
【００２８】
清掃装置７０は、転写ベルト５２の外周面のトナー像が用紙Ｐに二次転写された後、二次転写されずに転写ベルト５２の外周面に残ったトナー、外添剤等を、掻き取り部７２により転写ベルト５２の外周面から除去する。なお、補給機構２２Ｙ、２２Ｍ、２２Ｃ、２２Ｋは、現像剤を各画像形成ユニット４０Ｙ、４０Ｍ、４０Ｃ、４０Ｋの現像装置４６へ補給する。
【００２９】
搬送部１６は、用紙収容部１２に収容された用紙Ｐを、排出部２０に搬送する機能を有する。搬送部１６は、送出ロール１６Ａと、複数の搬送ロール対１６Ｂ、１７Ｂと、反転搬送部１６Ｄと、排出ロール１６Ｅと、を備えている。送出ロール１６Ａは、用紙収容部１２に収容された用紙Ｐを一枚ずつ送り出す。複数の搬送ロール対１６Ｂは、用紙Ｐが搬送される搬送路１６Ｃに沿って配置されており、送出ロール１６Ａによって送り出された用紙Ｐを、駆動ロール５６と転写ロール５８との対向位置である二次転写位置Ｔ１へ搬送する。
【００３０】
また、搬送部１６には、用紙Ｐの両面に画像形成を行うことができるように、用紙Ｐの表裏を反転させて搬送させる反転搬送部１６Ｄが設けられている。反転搬送部１６Ｄは、表面にトナー像が定着された用紙Ｐをスイッチバックさせる。その後、反転搬送部１６Ｄは、用紙Ｐの裏面が転写ベルト５２の外周面に対向するように、用紙Ｐを二次転写位置Ｔ１に搬送させる。
【００３１】
定着装置１８は、二次転写位置Ｔ１に対し、用紙Ｐの搬送方向下流側に配置されている。定着装置１８は、定着ロール１８Ａと加圧ロール１８Ｂとを備えており、用紙Ｐに二次転写されたトナー像を、用紙Ｐに定着させる。
【００３２】
排出部２０は、定着装置１８よりも用紙Ｐの搬送方向下流側であって、画像形成部１９０本体の外側上面の一部に形成されている。定着装置１８によりトナー像が定着された用紙Ｐは、排出ロール１６Ｅによって排出部２０に排出される。
【００３３】
次に、画像形成部１９０における画像形成動作について、図１を参照しつつ説明する。
【００３４】
露光装置３０から各色の画像データに応じて出射された露光光は、帯電装置４４により帯電された像保持体４２の外周面に照射され、各像保持体４２の外周面に各色の画像データに対応した潜像が形成される。各像保持体４２の外周面に形成された潜像は、各現像装置４６によって、各色のトナー像として現像される。そして、各像保持体４２の外周面の各色のトナー像は、各像保持体４２が対向する各一次転写ロール５４によって、転写ベルト５２の外周面に一次転写される。
【００３５】
一方、用紙Ｐは、転写ベルト５２に一次転写された各色のトナー像が二次転写位置Ｔ１に到達するタイミングに合わせて、用紙収容部１２から送り出され、二次転写位置Ｔ１へ搬送される。そして、二次転写位置Ｔ１に搬送されて通過する用紙Ｐには、転写ロール５８により、転写ベルト５２上のトナー像が二次転写される。
【００３６】
続いて、トナー像が転写された用紙Ｐは、定着装置１８に搬送され、定着ロール１８Ａ及び加圧ロール１８Ｂによってトナー像が加熱及、加圧されて用紙Ｐに定着される。トナー像が定着された用紙Ｐは、排出部２０に排出され、画像形成動作が終了する。
【００３７】
次に、第１実施形態に係る転写装置２００について説明する。
【００３８】
図２には、転写装置２００が正面図にて示されている。図２に示されるように、転写装置２００は、駆動ロール５６に巻き掛けられた転写ベルト５２に押圧される前述の転写ロール５８を備えている。転写ロール５８は、転写ベルト５２に押圧されてニップ部５８Ａを形成し、転写ロール５８と駆動ロール５６との間に電源（図示省略）から定められた転写電圧が印加されることで、転写ベルト５２上のトナー像を用紙Ｐに転写するようになっている。
【００３９】
また、転写装置２００は、用紙Ｐを転写ロール５８と駆動ロール５６との対向位置に搬送する搬送手段としての前述の搬送ロール対１７Ｂを備えている。さらに、転写装置２００は、縁なし印刷（余白なし印刷）の際に、用紙Ｐの搬送方向の先頭側の端部Ｐ１を転写ロール５８側に接触（衝突）させた後にニップ部５８Ａに突入させるように用紙Ｐを搬送する搬送手段としての案内部材２０２を備えている。ここで、「縁なし印刷（余白なし印刷）」とは、転写ベルト５２上のトナー像の一部を用紙Ｐの搬送方向の先頭側の縁を含む領域に転写すること、すなわち、用紙Ｐの搬送方向の先頭側の縁の少なくとも一部に余白のない印刷を言う。
【００４０】
案内部材２０２は、用紙Ｐを案内する一対のガイド部２０４、２０６を備えている。ガイド部２０４は、用紙Ｐの搬送経路（図１中の搬送路１６Ｃ）に対して駆動ロール５６側（転写ベルト５２側）に配置されている。ガイド部２０６は、用紙Ｐの搬送経路に対して転写ロール５８側に配置されている。
【００４１】
ガイド部２０４は、正面視にて略Ｌ字状に形成されており、板状部２０４Ａと、板状部２０４Ａに対して略直交する方向に配置された板状部２０４Ｂと、を備えている。板状部２０４Ａは、用紙Ｐの搬送方向下流側に向けて配置されており、板状部２０４Ａの下流側の先端は、ニップ部５８Ａよりも転写ロール５８側に向けて配置されている。搬送ロール対１７Ｂは、板状部２０４Ａ側に向けて用紙Ｐを送り出すように水平方向に対して斜めに配置されている。このガイド部２０４は、搬送ロール対１７Ｂで送り出された用紙Ｐが板状部２０４Ａの表面を摺動することで、用紙Ｐを転写ロール５８側に案内するようになっている。
【００４２】
ガイド部２０６は、正面視にて角度が鈍角である略Ｖ字状とされており、板状部２０６Ａと、板状部２０６Ａに対して略交差する方向に配置された板状部２０６Ｂと、を備えている。板状部２０６Ａは、ガイド部２０４の板状部２０４Ａと間隔をおいて対向しており、板状部２０６Ａの下流側の先端は、転写ロール５８側に向けて配置されている。また、板状部２０６Ｂは、ガイド部２０４の板状部２０４Ａと対向する位置に設けられており、板状部２０６Ｂの先端は、搬送ロール対１７Ｂの一方（図中の左側）に向けて配置されている。すなわち、板状部２０６Ｂと板状部２０４Ａとの間隔は、用紙Ｐの搬送方向上流側に向かって徐々に広がるように設定されており、用紙Ｐが板状部２０６Ａと板状部２０４Ａとの間に搬送されやすくなる。
【００４３】
この案内部材２０２では、搬送ロール対１７Ｂで送り出された用紙Ｐが板状部２０４Ａの表面を摺動することで、転写ロール５８側に案内される。これにより、用紙Ｐの先頭側の端部Ｐ１を転写ロール５８側に接触させた後に用紙Ｐをニップ部５８Ａに突入させるようになっている。
【００４４】
図２には、比較例の案内部材２１２が二点鎖線で示されている。案内部材２１２は、一対のガイド部２１４、２１６を備えている。用紙Ｐの搬送経路に対して転写ベルト５２側に配置されたガイド部２１４の下流側の先端は、転写ベルト５２側（駆動ロール５６の方向）に向けて配置されている。また、用紙Ｐの搬送経路に対して転写ロール５８側に配置されたガイド部２１６の下流側の先端も、転写ベルト５２側（駆動ロール５６の方向）に向けて配置されている。
【００４５】
この案内部材２１２は、用紙Ｐの搬送方向の先頭側の縁に余白がある印刷（余白あり印刷）の配置である。このような案内部材２１２では、搬送ロール対１７Ｂで送り出された用紙Ｐは、案内部材２１２により転写ベルト５２側に案内され、用紙Ｐの先頭側の端部を転写ベルト５２側に接触させた後にニップ部５８Ａに送り込むようになっている。
【００４６】
本実施形態の案内部材２０２のガイド部２０４、２０６は、比較例の案内部材２１２のガイド部２１４、２１６よりも転写ロール５８側に、略水平方向（水平方向に対して僅かに斜め下方向）に沿ってずらした構成とされている。例えば、案内部材２０２のガイド部２０４、２０６は、案内部材２１２のガイド部２１４、２１６よりも転写ロール５８側に、約０．３〜１．２ｍｍの距離を略水平方向（水平方向に対して僅かに斜め下方向）に沿ってずらしている。なお、図２では、案内部材２０２と案内部材２１２との位置関係を分かりやすくするため、誇張表示している。これによって、搬送ロール対１７Ｂで送り出された用紙Ｐが案内部材２０２により転写ロール５８側に案内され、用紙Ｐの先頭側の端部Ｐ１が転写ロール５８側に接触した後に用紙Ｐがニップ部５８Ａに突入される。
【００４７】
図３に示されるように、案内部材２０２は、転写ロール５８のニップ部５８Ａに対して、転写ロール５８の回転方向上流側に９０度までの範囲に用紙Ｐの先頭側の端部Ｐ１を接触（衝突）させる構成とされている（図３中の矢印Ａに示す用紙Ｐの搬送方向を参照）。言い換えると、転写ロール５８の中心部５８Ｃにおけるニップ部５８Ａに対して転写ロール５８の回転方向上流側の角度をθとしたとき、角度θが０より大きく、９０度以下となる範囲に用紙Ｐの先頭側の端部Ｐ１（図２参照）を接触させる。本実施形態では、案内部材２０２のガイド部２０４、２０６（図２参照）で用紙Ｐの両面側から用紙Ｐを案内することで、用紙Ｐの転写ロール５８への接触位置が規制されるようになっている。その際、用紙Ｐの先頭側の端部Ｐ１を転写ロール５８に接触させる位置は、例えば、ガイド部２０４、２０６（図２参照）の用紙搬送方向の下流側の先端の位置によって調整される。
【００４８】
また、転写装置２００では、転写ロール５８の転写ベルト５２に対する周速比が０．９７より大きく、１．００より小さい範囲とされている。ここで、「転写ロール５８の転写ベルト５２に対する周速比」とは、転写ロール５８の周速を転写ベルト５２の周速で除した値である。転写ロール５８の転写ベルト５２に対する周速比が１．００より小さいことにより、用紙Ｐの先頭側の端部Ｐ１が転写ロール５８に接触した後は、図４に示されるように、用紙Ｐの速度Ｖ２が、転写ベルト５２の速度（周速）Ｖ１よりも遅くなる。これにより、用紙Ｐの速度Ｖ２が、転写ベルト５２の速度（周速）Ｖ１よりも遅い状態で、用紙Ｐの搬送方向の先端面Ｐ２が転写ベルト５２上のトナーＴに接触するようになっている。図４中には、用紙Ｐの速度Ｖ２と転写ベルト５２の速度Ｖ１が同じ場合の用紙Ｐの位置が二点鎖線で示されている。
【００４９】
次に、本実施形態に係る転写装置２００の作用及び効果について説明する。
【００５０】
図２に示されるように、転写装置２００では、縁なし印刷の際（転写ベルト５２上のトナー像の一部を用紙Ｐの搬送方向の先頭側の縁を含む領域に転写する際）に、搬送ロール対１７Ｂで送り出された用紙Ｐが、案内部材２０２のガイド部２０４、２０６により転写ロール５８側に案内される。これによって、用紙Ｐの先頭側の端部Ｐ１が転写ロール５８側に接触（衝突）した後に用紙Ｐがニップ部５８Ａに突入される。
【００５１】
このため、転写装置２００では、比較例の案内部材２１２のように用紙Ｐを転写ベルト５２側に接触させた後にニップ部５８Ａに突入させる構成と比較して、用紙Ｐの搬送方向の先端面Ｐ２が転写ベルト５２上のトナーを掻き取ることが抑制され、用紙Ｐの搬送方向の先端面Ｐ２にトナー汚れが発生することが抑制される。
【００５２】
図３に示されるように、転写装置２００では、案内部材２０２は、転写ロール５８のニップ部５８Ａに対して、転写ロール５８の回転方向上流側に９０度までの範囲に用紙Ｐの先頭側の端部Ｐ１を接触させる構成とされている。このような転写装置２００では、転写ロール５８の回転方向上流側の９０度を超える位置に用紙Ｐの先頭側の端部Ｐ１を接触させる構成と比較して、用紙Ｐがニップ部５８Ａを外れた位置に供給されることが抑制される。
【００５３】
また、転写装置２００では、転写ロール５８の転写ベルト５２に対する周速比が０．９７より大きく、１．００より小さい範囲とされている。この転写装置２００では、転写ロール５８の転写ベルト５２に対する周速比が１．００より小さいため、用紙Ｐの先頭側の端部Ｐ１が転写ロール５８に接触した後は、図４に示されるように、用紙Ｐの速度Ｖ２が、転写ベルト５２の速度（周速）Ｖ１よりも遅くなる。これにより、用紙Ｐの速度Ｖ２が、転写ベルト５２の速度（周速）Ｖ１よりも遅い状態で、用紙Ｐの搬送方向の先端面Ｐ２が転写ベルト５２上のトナーＴに接触する。このため、転写装置２００では、転写ロール５８の転写ベルト５２に対する周速比が１．００以上の場合と比較して、用紙Ｐの搬送方向の先端面Ｐ２が転写ベルト５２上のトナーＴを掻き取ることが抑制され、用紙Ｐの搬送方向の先端面Ｐ２に付着するトナー汚れが抑制される。
【００５４】
また、転写ロール５８の転写ベルト５２に対する周速比を小さくし過ぎると、画像ずれの発生、用紙Ｐの表面のトナー汚れの発生、及び画像が縮小される画像縮の発生が懸念される。転写装置２００では、転写ロール５８の転写ベルト５２に対する周速比が０．９７より大きい。このため、転写ロール５８の転写ベルト５２に対する周速比が０．９７以下の場合と比較して、転写ベルト５２上のトナー像が用紙Ｐに転写される際に、画像ずれの発生、用紙Ｐの表面のトナー汚れの発生、及び画像が縮小される画像縮の発生が抑制される。
【００５５】
次に、図５を用いて、本発明の第２実施形態としての転写装置について説明する。なお、なお、前述した第１実施形態と同一構成部分については、同一番号を付してその説明を省略する。
【００５６】
図５に示されるように、転写装置２２０は、用紙Ｐを搬送する搬送手段としての搬送ロール対１７Ｂと、縁なし印刷（余白なし印刷）の際に用紙Ｐの先頭側の端部Ｐ１を転写ロール５８側に接触させた後にニップ部５８Ａに突入させるように用紙Ｐを搬送する搬送手段としての案内部材２２２と、を備えている。案内部材２２２は、用紙Ｐを案内する一対のガイド部２０４、２０６を備えている。案内部材２２２では、比較例の案内部材２１２の一対のガイド部２１４、２１６の水平方向に対する角度に対して、一対のガイド部２０４、２０６の水平方向に対する角度を変更している。より詳細には、一対のガイド部２０４、２０６の水平方向に対する角度は、比較例の案内部材２１２の一対のガイド部２１４、２１６の水平方向に対する角度と比較して、板状部２０４Ａの下流側の先端及び板状部２０６Ａの下流側の先端が転写ロール５８側に向けて配置されるように変更している。
【００５７】
このような転写装置２２０では、縁なし印刷の際（転写ベルト５２上のトナー像の一部を用紙Ｐの搬送方向の先頭側の縁を含む領域に転写する際）に、搬送ロール対１７Ｂで送り出された用紙Ｐが、案内部材２２２のガイド部２０４、２０６により転写ロール５８側に案内される。これによって、用紙Ｐの先頭側の端部Ｐ１が転写ロール５８側に接触した後に用紙Ｐがニップ部５８Ａに突入される。
【００５８】
このため、転写装置２２０では、比較例の案内部材２１２のように用紙Ｐを転写ベルト５２側に接触させた後にニップ部５８Ａに突入させる構成と比較して、用紙Ｐの搬送方向の先端面Ｐ２が転写ベルト５２上のトナーを掻き取ることが抑制され、用紙Ｐの搬送方向の先端面Ｐ２にトナー汚れが発生することが抑制される。
【００５９】
次に、図６を用いて、本発明の第３実施形態としての転写装置について説明する。なお、なお、前述した第１及び第２実施形態と同一構成部分については、同一番号を付してその説明を省略する。
【００６０】
図６に示されるように、転写装置２４０は、縁なし印刷（余白なし印刷）の際に用紙Ｐの先頭側の端部Ｐ１を転写ロール５８側に接触させた後にニップ部５８Ａに突入させるように用紙Ｐを搬送する搬送手段としての搬送ロール対２４８を備えている。搬送ロール対２４８は、用紙Ｐの搬送経路に対して転写ベルト５２側に配置された搬送ロール２４８Ａと、用紙Ｐの搬送経路に対して転写ロール５８側に配置された搬送ロール２４８Ｂと、を備えている。この搬送ロール対２４８は、第１実施形態の搬送ロール対１７Ｂと比較すると、転写ロール５８側に配置された搬送ロール２４８Ｂが、搬送ロール対１７Ｂのうちの転写ロール５８側に配置されたロールよりも用紙Ｐの搬送方向上流側にずらした構成とされている。
【００６１】
また、転写装置２４０は、搬送ロール対２４８よりも用紙Ｐの搬送方向下流側に配置された案内部材２４２を備えている。案内部材２４２は、一対のガイド部２０４、２０６を備えている。本実施形態では、第１実施形態の案内部材２０２と比較して、用紙Ｐと干渉しないように一対のガイド部２０４、２０６の間隔（距離）を用紙Ｐの搬送経路（ガイド方向）に対して直交する方向に広げている。なお、案内部材２４２は、この構成に限定するものではなく、変更が可能である。
【００６２】
この転写装置２４０では、搬送ロール対２４８のうち転写ロール５８側に配置された搬送ロール２４８Ｂが、第１実施形態の搬送ロール対１７Ｂよりも用紙Ｐの搬送方向上流側にずらして配置されている。これによって、縁なし印刷の際（転写ベルト５２上のトナー像の一部を用紙Ｐの搬送方向の先頭側の縁を含む領域に転写する際）に、搬送ロール対２４８で送り出された用紙Ｐが、転写ロール５８側に案内される。このため、用紙Ｐの先頭側の端部Ｐ１が転写ロール５８側に接触した後に用紙Ｐがニップ部５８Ａに突入される。
【００６３】
このような転写装置２４０では、搬送ロール２４８Ｂが用紙Ｐの搬送方向上流側にずらして配置されない構成と比較して、用紙Ｐの搬送方向の先端面Ｐ２が転写ベルト５２上のトナーを掻き取ることが抑制され、用紙Ｐの搬送方向の先端面Ｐ２にトナー汚れが発生することが抑制される。
【００６４】
次に、図７を用いて、本発明の第４実施形態としての転写装置について説明する。なお、なお、前述した第１〜第３実施形態と同一構成部分については、同一番号を付してその説明を省略する。
【００６５】
図７に示されるように、転写装置２６０は、用紙Ｐを搬送する搬送手段としての搬送ロール対１７Ｂと、縁なし印刷（余白なし印刷）の際に用紙Ｐの先頭側の端部Ｐ１を転写ロール５８側に接触させた後にニップ部５８Ａに突入させるように用紙Ｐを搬送する搬送手段としての案内部材２０２と、縁なし印刷（余白なし印刷）と用紙Ｐの先端部分に余白がある印刷とで案内部材２０２の位置を切り替える切替機構としての切替装置２６２と、を備えている。案内部材２０２は、一対のガイド部２０４、２０６を備えている。切替装置２６２は、案内部材２０２を板状部２０６Ａに対して直交する方向（矢印Ｅ方向）に平行移動させる構成とされている。切替装置２６２は、例えばソレノイドからなり、本体部２６２Ａと、本体部２６２Ａに対して進退可能に支持されると共に案内部材２０２に連結されたロッド２６２Ｂと、を備えている。一対のガイド部２０４、２０６は、例えば、用紙Ｐの幅方向の両端部が架け渡し部（図示省略）によって支持されていることで、ガイド部２０４、２０６の間隔が一定に保持されると共に、ガイド部２０４、２０６が一体として移動する。
【００６６】
転写装置２６０では、縁なし印刷（余白なし印刷）の際には、案内部材２０２が、図７中の実線で示すように、案内部材２０２の移動方向における転写ロール５８側の位置（用紙Ｐの先頭側の端部Ｐ１を転写ロール５８側に接触させる位置）に配置されている。一方、転写ベルト５２上のトナー像を用紙Ｐの搬送方向の先頭側の縁を含まない領域に転写する際（用紙Ｐの先端部分に余白がある印刷の際）には、図７中の二点鎖線で示すように、案内部材２０２が、案内部材２０２の移動方向における転写ベルト５２側の位置（用紙Ｐの先頭側の端部Ｐ１を転写ベルト５２側に接触させる位置）に配置されている。案内部材２０２の移動は、切替装置２６２によって行われる。切替装置２６２は、案内部材２０２を例えば０．３〜１．２ｍｍ、転写ロール５８側から転写ベルト５２側に、又は転写ベルト５２側から転写ロール５８側に平行移動させる構成とされている。
【００６７】
このような転写装置２６０では、縁なし印刷（余白なし印刷）の際には、図７中の実線で示すように、案内部材２０２により、用紙Ｐの先頭側の端部Ｐ１を転写ロール５８側に接触させた後にニップ部５８Ａに突入させる。一方、転写ベルト５２上のトナー像を用紙Ｐの搬送方向の先頭側の縁を含まない領域に転写する際（用紙Ｐの先端部分に余白がある印刷の際）には、図７中の二点鎖線で示すように、案内部材２０２により、用紙Ｐの先頭側の端部Ｐ１を転写ベルト５２側に接触させた後にニップ部５８Ａに突入させる。例えば、切替装置２６２は、案内部材２０２が転写ロール５８側の位置にある場合、案内部材２０２を転写ベルト５２側に平行移動させることで、用紙Ｐの先頭側の端部Ｐ１を転写ベルト５２側に接触させる方向へ案内部材２０２による搬送方向を切り替える。また、切替装置２６２は、案内部材２０２が転写ベルト５２側の位置にある場合、案内部材２０２を転写ロール５８側に平行移動させることで、用紙Ｐの先頭側の端部Ｐ１を転写ロール５８側に接触させる方向へ案内部材２０２による搬送方向を切り替える。
【００６８】
このような転写装置２６０では、切替装置２６２を有しない構成と比較して、転写ベルト５２上のトナー像を用紙Ｐの搬送方向の先頭側の縁を含まない領域に転写する際（用紙Ｐの先端部分に余白がある印刷の際）に、用紙Ｐへの画像ずれの発生が抑制される。
【００６９】
次に、図８を用いて、本発明の第５実施形態としての転写装置について説明する。なお、なお、前述した第１〜第４実施形態と同一構成部分については、同一番号を付してその説明を省略する。
【００７０】
図８に示されるように、転写装置２８０は、用紙Ｐを搬送する搬送手段としての搬送ロール対１７Ｂと、縁なし印刷（余白なし印刷）の際に用紙Ｐの先頭側の端部Ｐ１を転写ロール５８側に接触させた後にニップ部５８Ａに突入させるように用紙Ｐを搬送する搬送手段としての案内部材２０２と、縁なし印刷（余白なし印刷）と用紙Ｐの先端部分に余白がある印刷とで案内部材２０２の位置を切り替える切替機構としての切替装置２８２と、を備えている。切替装置２８２は、案内部材２０２を一体として回転させることで、水平方向に対する一対のガイド部２０４、２０６の角度を変更する構成とされている。本実施形態では、切替装置２８２は、ガイド部２０４の角部を中心として案内部材２０２を矢印Ｆ方向に回転させるモータ２８２Ａを備えている。
【００７１】
転写装置２８０では、縁なし印刷（余白なし印刷）の際には、案内部材２０２の一対のガイド部２０４、２０６の下流側の先端の向きが、図８中の実線で示すように、用紙Ｐの先頭側の端部Ｐ１を転写ロール５８側に接触させる方向に配置されている。一方、転写ベルト５２上のトナー像を用紙Ｐの搬送方向の先頭側の縁を含まない領域に転写する際（用紙Ｐの先端部分に余白がある印刷の際）には、図８中の二点鎖線で示すように、案内部材２０２の一対のガイド部２０４、２０６の下流側の先端の向きが、用紙Ｐの先頭側の端部Ｐ１を転写ベルト５２側に接触させる方向に配置されている。切替装置２８２は、案内部材２０２の一対のガイド部２０４、２０６の下流側の先端の向きが転写ベルト５２側又は転写ロール５８側となるように、案内部材２０２を回転させる。
【００７２】
このような転写装置２８０では、縁なし印刷（余白なし印刷）の際には、図８中の実線で示すように、案内部材２０２により、用紙Ｐの先頭側の端部Ｐ１を転写ロール５８側に接触させた後にニップ部５８Ａに突入させる。一方、転写ベルト５２上のトナー像を用紙Ｐの搬送方向の先頭側の縁を含まない領域に転写する際（用紙Ｐの先端部分に余白がある印刷の際）には、図８中の二点鎖線で示すように、用紙Ｐの先頭側の端部Ｐ１を転写ベルト５２側に接触した後にニップ部５８Ａに突入させる。例えば、案内部材２０２の一対のガイド部２０４、２０６の下流側の先端が転写ロール５８側を向いている場合、切替装置２８２は、案内部材２０２の一対のガイド部２０４、２０６の下流側の先端を転写ベルト５２側に回転されることで、用紙Ｐの先頭側の端部Ｐ１を転写ベルト５２側に接触させる方向へ案内部材２０２による搬送方向を切り替える。また、案内部材２０２の一対のガイド部２０４、２０６の下流側の先端が転写ベルト５２側を向いている場合は、切替装置２８２は、案内部材２０２の一対のガイド部２０４、２０６の下流側の先端を転写ロール５８側に回転されることで、用紙Ｐの先頭側の端部Ｐ１を転写ロール５８側に接触させる方向へ案内部材２０２による搬送方向を切り替える。
【００７３】
このような転写装置２８０では、切替装置２８２を有しない構成と比較して、転写ベルト５２上のトナー像を用紙Ｐの搬送方向の先頭側の縁を含まない領域に転写する際（用紙Ｐの先端部分に余白がある印刷の際）に、用紙Ｐへの画像ずれの発生が抑制される。
【００７４】
なお、本発明の転写装置は、第１〜第５実施形態の転写装置に限定されるものではない。例えば、縁なし印刷（余白なし印刷）の際に、搬送手段としての搬送ロール対１７Ｂのうち、転写ロール５８側のロールの周速を転写ベルト５２側のロールの周速より速くすることで、用紙Ｐの先頭側の端部Ｐ１を転写ロール５８側に接触させるようにしてもよい。
【００７５】
また、本発明の転写装置では、転写ベルト５２上のトナー像を用紙Ｐの搬送方向の先頭側の縁を含まない領域に転写する際（用紙Ｐの先端部分に余白がある印刷の際）には、搬送手段としての搬送ロール対１７Ｂにおける転写ロール５８側のロールの周速と転写ベルト５２側のロールの周速とを同じに変更するような切替機構を備える構成でもよい。
【００７６】
また、第４及び第５実施形態の転写装置では、切替装置２６２、２８２の構成は、これらの実施形態の構成に限定されるものではなく、案内部材２０２を移動又は回転させる他の機構を有するものに変更が可能である。また、切替装置２６２による案内部材２０２を移動させる方向は、第４実施形態の矢印Ｅ方向に限定するものではなく、他の方向へ変更が可能である。
【００７７】
また、第５実施形態の転写装置では、案内部材２０２のガイド部２０４の角部を中心に案内部材２０２を回転されたが、本発明はこれに限定されるものではなく、案内部材２０２の他の位置を中心に案内部材２０２を回転させる構成でもよい。
【実施例】
【００７８】
次に、実験装置である転写装置３００を用い、用紙Ｐの搬送方向の先端面Ｐ２の汚れを評価した実験について説明する。
【００７９】
図９には、実験装置である転写装置３００が示されている。図９に示されるように、転写装置３００は、一対のガイド部２０４、２０６からなる案内部材２０２を備えている。案内部材２０２は、水平方向に対して交差する方向（矢印Ｊ方向）、すなわち、転写ベルト５２から転写ロール５８側に移動するにしたがって下方側に平行移動するように設定されている。この転写装置３００を備えた画像形成装置は、富士ゼロックス社製のDocuCentre-V C７７７５を使用した。また、用紙ＰはＮｃｏｌｏｒ２０９（富士ゼロックスインターフィールド株式会社製）を用い、用紙Ｐの搬送速度は１７５ｍｍ／ｓに設定した。また、転写ロール５８の直径φは１７．２ｃｍ、駆動ロール５６の直径φは１８．０ｃｍであり、転写ロール５８の中心に対して駆動ロール５６の中心が水平方向の位置から１０°オフセットしている。また、温度は２８℃、湿度（相対湿度）は８５％であり、画像濃度は２４０％のものを用いた。この転写装置３００を備えた画像形成装置では、縁なし印刷（余白なし印刷）により、用紙Ｐに画像を形成する。
【００８０】
また、転写装置３００では、案内部材２０２が図９に示す転写ベルト５２側の位置から、矢印Ｊ方向（転写ベルト５２と直交する転写ロール５８側の方向）に平行移動する構成とされている。案内部材２０２が矢印Ｊ方向に平行移動することで、用紙Ｐの先端（先頭側の端部）の接触位置が矢印Ｊ１方向に移動する。この実験では、図９に示す転写ベルト５２と接触する用紙Ｐの先端位置を０ｍｍとし、この位置から矢印Ｊ１方向に用紙Ｐの先端の接触位置が移動した距離（ｍｍ）と、この距離における用紙Ｐの搬送方向の先端面のトナー汚れを測定している。
【００８１】
図１０は、転写装置３００において、用紙Ｐの先端の接触位置の矢印Ｊ１方向への平行移動距離（図９参照）と、用紙Ｐの搬送方向の先端面（図１２中の先端面Ｐ２を参照）のトナー汚れＧとの関係を示すグラフである。図１１には、用紙Ｐの搬送方向の先端面Ｐ２のトナー汚れの状態がＧ１〜Ｇ５により段階的に示されている。図１１に示されるように、Ｇ１はトナー汚れが最も少ない状態であり、Ｇ２からＧ５になるにしたがってトナー汚れが多くなる。図１０に示されるように、用紙Ｐの先端の接触位置の矢印Ｊ１方向への平行移動距離が０．３〜１．２ｍｍまでの範囲では、用紙Ｐの搬送方向の先端面Ｐ２のトナー汚れがＧ２であり、用紙Ｐの先端の接触位置の矢印Ｊ１方向への平行移動距離が０．３ｍｍより小さい場合に比べて、トナー汚れが少ない。この転写装置３００では、用紙Ｐの先端の接触位置の矢印Ｊ１方向への平行移動距離が０．３ｍｍ以上の場合は、用紙Ｐの先端が転写ロール５８側に接触することが確認されている。
【００８２】
図１２には、転写ベルト５２の速度（周速）Ｖ１が、用紙Ｐの速度Ｖ２より小さい場合のトナーＴの状態が示されている。図１２では、用紙Ｐの先端（先頭側の端部）がニップ部５８Ａ付近の転写ベルト５２に接触した場合を模式的に示している。図１２に示されるように、転写ベルト５２の速度Ｖ１が用紙Ｐの速度Ｖ２より小さい場合や、転写ベルト５２の速度Ｖ１が用紙Ｐの速度Ｖ２と同じ場合は、転写ベルト５２の速度Ｖ１が用紙Ｐの速度Ｖ２より大きい場合（図４参照）と比較して、転写ベルト５２上のトナーＴが用紙Ｐの搬送方向の先端面Ｐ２で掻き取られ、用紙Ｐの搬送方向の先端面Ｐ２にトナー汚れが発生する可能性がある。
【００８３】
図１３には、転写ロール５８の駆動ロール５６に対する周速比と、用紙Ｐの搬送方向の先端面Ｐ２のトナー汚れＧとの関係がグラフにて示されている。また、図１３には、転写ロール５８の駆動ロール５６に対する周速比と、用紙Ｐに転写されたトナー像の画像縮の発生との関係がグラフにて示されている。図１３では、案内部材２０２（図９参照）の位置は、矢印Ｊ方向に０．５ｍｍ移動させた状態で、転写ベルト５２上のトナー像を用紙Ｐに転写する実験を行っている。図１３の右側の縦軸では、画像縮が発生した場合を「５」で表示し、画像縮が発生しない場合を「０」で表示している。
【００８４】
図１３に示されるように、転写ロール５８（ＢＴＲ）の駆動ロール５６（ＢＵＲ）に対する周速比が１．００よりも小さいと、用紙Ｐの速度Ｖ２が、駆動ロール５６によって駆動させる転写ベルト５２の速度Ｖ１よりも小さくなる。転写ロール５８の駆動ロール５６に対する周速比が１．００よりも小さいと、トナー汚れがＧ２〜Ｇ１の範囲となり、用紙Ｐの搬送方向の先端面Ｐ２のトナー汚れの発生が少ないことが分かる。このため、用紙Ｐの速度Ｖ２が転写ベルト５２の速度Ｖ１よりも小さい場合は、用紙Ｐの速度Ｖ２が転写ベルト５２の速度Ｖ１以上である場合と比べて、転写ベルト５２上のトナーＴが用紙Ｐの搬送方向の先端面Ｐ２で掻き取られることが抑制され、用紙Ｐの搬送方向の先端面Ｐ２のトナー汚れの発生が抑制される。
【００８５】
また、図１３に示されるように、転写ロール５８の駆動ロール５６に対する周速比が０．９７よりも小さいと、用紙Ｐの画像の画像縮が発生する（図１３中の「５」の部分）。このため、転写ロール５８の駆動ロール５６（駆動ロール５６で駆動される転写ベルト５２）に対する周速比は、０．９７より大きく、１．００より小さいことが好ましい。
【００８６】
なお、本発明を特定の実施形態について詳細に説明したが、本発明はかかる実施形態に限定されるものではなく、本発明の範囲内にて他の種々の実施形態が可能であることは当業者にとって明らかである。
【００８７】
なお、本発明の転写装置は、転写ベルト５２上のトナー像を用紙Ｐに二次転写する構成であるが、本発明はこれに限定するものではなく、例えば感光体ドラムなどの像保持体上のトナー像を用紙などの記録媒体に転写する構成にも適用可能である。
【符号の説明】
【００８８】
１０   画像形成装置
１７Ｂ 搬送ロール対（搬送手段）
５２   転写ベルト（像保持体）
５８   転写ロール
５８Ａ ニップ部
２００ 転写装置
２０２ 案内部材（搬送手段）
２０４ ガイド部（搬送手段）
２０６ ガイド部（搬送手段）
２１２ 案内部材（搬送手段）
２１４ ガイド部（搬送手段）
２１６ ガイド部（搬送手段）
２２０ 転写装置
２２２ 案内部材（搬送手段）
２４０ 転写装置
２４２ 案内部材（搬送手段）
２４８ 搬送ロール対（搬送手段）
２４８Ａ      搬送ロール（搬送手段）
２４８Ｂ      搬送ロール（搬送手段）
２６０ 転写装置
２６２ 切替装置（切替機構）
２６２Ａ      本体部（切替機構）
２６２Ｂ      ロッド（切替機構）
２８０ 転写装置
２８２ 切替装置（切替機構）
２８２Ａ      モータ（切替機構）
Ｐ     用紙（記録媒体）
Ｐ１   先頭側の端部
【図１】
2017040751.tif 000003
【図２】
2017040751.tif 000004
【図３】
2017040751.tif 000005
【図４】
2017040751.tif 000006
【図５】
2017040751.tif 000007
【図６】
2017040751.tif 000008
【図７】
2017040751.tif 000009
【図８】
2017040751.tif 000010
【図９】
2017040751.tif 000011
【図１０】
2017040751.tif 000012
【図１２】
2017040751.tif 000013
【図１３】
2017040751.tif 000014
【図１１】
2017040751.tif 000015
【手続補正書】
【提出日】平成28年9月23日(2016.9.23)
【手続補正１】
【補正対象書類名】明細書
【補正対象項目名】０００７
【補正方法】変更
【補正の内容】
【０００７】
請求項１に記載の発明に係る転写装置は、押圧手段により像保持体側に押圧され、且つ前記像保持体との間でニップ部を形成して前記像保持体上のトナー像を記録媒体に転写する転写ロールと、前記像保持体上のトナー像の一部を前記記録媒体の搬送方向の先頭側の縁を含む領域に転写する際に、前記記録媒体の先頭側の端部を、前記ニップ部に対して、前記転写ロールの回転方向上流側の９０度までの範囲となる部分に衝突させた後に前記ニップ部に突入させるように前記記録媒体を搬送する搬送手段と、を有する。
【手続補正２】
【補正対象書類名】明細書
【補正対象項目名】０００８
【補正方法】変更
【補正の内容】
【０００８】
請求項２に記載の発明は、請求項１に記載の転写装置において、前記転写ロールが前記像保持体を介して押圧されると共に、前記像保持体を回転させる駆動ロールを備え、前記転写ロールと前記駆動ロールとのロール径がほぼ同じである。
【手続補正３】
【補正対象書類名】明細書
【補正対象項目名】００１２
【補正方法】変更
【補正の内容】
【００１２】
請求項１に記載の発明によれば、像保持体上のトナー像の一部を記録媒体の搬送方向の先頭側の縁を含む領域に転写する際に、記録媒体の先頭側の端部を像保持体側に接触させる構成と比較して、記録媒体の搬送方向の先端面にトナー汚れが発生することが抑制される転写装置が提供される。さらに、この転写装置では、ニップ部に対して、転写ロールの回転方向上流側の９０度を超える位置に記録媒体を接触させる構成と比較して、記録媒体がニップ部を外れた位置に供給されることが抑制される。
【手続補正４】
【補正対象書類名】明細書
【補正対象項目名】００１３
【補正方法】変更
【補正の内容】
【００１３】
請求項２に記載の発明によれば、本構成を有しない場合と比較して、記録媒体の搬送方向の先端面にトナー汚れが発生することが抑制される。
【手続補正５】
【補正対象書類名】特許請求の範囲
【補正対象項目名】全文
【補正方法】変更
【補正の内容】
【特許請求の範囲】
【請求項１】
押圧手段により像保持体側に押圧され、且つ前記像保持体との間でニップ部を形成して前記像保持体上のトナー像を記録媒体に転写する転写ロールと、
前記像保持体上のトナー像の一部を前記記録媒体の搬送方向の先頭側の縁を含む領域に転写する際に、前記記録媒体の先頭側の端部を、前記ニップ部に対して、前記転写ロールの回転方向上流側の９０度までの範囲となる部分に衝突させた後に前記ニップ部に突入させるように前記記録媒体を搬送する搬送手段と、
を有する転写装置。
【請求項２】
前記転写ロールが前記像保持体を介して押圧されると共に、前記像保持体を回転させる駆動ロールを備え、
前記転写ロールと前記駆動ロールとのロール径がほぼ同じである請求項１に記載の転写装置。
【請求項３】
前記転写ロールの前記像保持体に対する周速比を０．９７より大きく、１．００より小さい範囲とする請求項１又は請求項２に記載の転写装置。
【請求項４】
前記像保持体上のトナー像の一部を前記記録媒体の搬送方向の先頭側の縁を含む領域に転写する際は、前記搬送手段により、前記記録媒体の先頭側の端部を前記転写ロール側に接触させた後に前記ニップ部に突入させ、
前記像保持体上のトナー像を前記記録媒体の搬送方向の先頭側の縁を含まない領域に転写する際は、前記記録媒体の先頭側の端部を前記像保持体側に接触させる方向へ前記搬送手段による搬送方向を切り替える切替機構を有する請求項１から請求項３までのいずれか１項に記載の転写装置。
【請求項５】
トナー像を保持する像保持体と、
請求項１から請求項４までのいずれか１項に記載の転写装置と、
を有する画像形成装置。